(57)【要約】【課題】      ハンドルネジ込みの際に確実に駆動歯車の正回転を止めることが出来る魚釣用リ−ルを提供することである。【解決手段】  収容部１と蓋体１０に取り付けられた軸受１４、１５で駆動軸２の両端が軸承され、駆動軸２の中間外周に駆動歯車２ａが一体的に形成され、駆動軸２の外周他側に正転防止機構Ｃの正転防止爪車２ｃが形成されている。  正転防止爪車２ｃにはリ−ル本体Ａの蓋体１０に固定された軸部３０に回動可能に取り付けられた正転防止爪７の係合爪部７ａが係合可能に臨まされ、発条３１で係合方向に付勢されている。  正転防止爪７には係合爪部７ａと操作部７ｂが設けられて操作部７ｂは操作摘みからなる切換部材３２で操作される。【選択図】        図３
2010029157.tif 000002
【特許請求の範囲】
【請求項１】
駆動歯車を有する駆動軸に、ハンドルを有するハンドル軸を螺合することで取付け可能とすると共に、ハンドルの正転回転操作で駆動する釣糸案内部を介して、スプ−ルに釣糸を巻回可能とした魚釣用リ−ルにおいて、ハンドルと一体回転する回転体とリ−ル本体との間に、正転防止機構を設け、リ−ル本体に設けた切換部材の操作で正転防止状態と正転可能状態に切換保持可能としたことを特徴とする魚釣用リ−ル。
【発明の詳細な説明】
【技術分野】
【０００１】
本発明は、駆動歯車にハンドルをネジ式で取り付ける構成で、駆動歯車が釣糸巻取りの正転方向に回転不能とする正転防止機構を備えた魚釣用リ−ルに関する。
【背景技術】
【０００２】
従来魚釣用スピニングリ−ルは、ハンドルの回転操作により連動回転する釣糸案内部を有するロ−タを回転させてスプ−ルに釣糸を巻回する。
そして実釣時にスプ−ルに巻回されている釣糸の繰り出しでロ−タが逆転しない様、通常逆転防止装置が装備され、逆転防止状態（ＯＮ状態）と逆転可能状態（ＯＦＦ状態）に切換可能に構成されているが、本願は駆動歯車にハンドルをネジ式で取り付ける構成で駆動歯車とロ−タを正転させないようにするものである。
【０００３】
従来特許文献１、２のように駆動歯車にハンドルをネジ式で取付ける構造を搭載しているリ−ルでは、駆動歯車にハンドルを取付ける時、駆動歯車に噛合されたピニオン歯車を介して取付けられたロ−タを釣人が押さえることで駆動歯車を間接的に回転止めしてハンドルを正転方向へ締め込んで取付ける為に、駆動歯車とピニオン歯車の噛合部への大きな負荷がかかり、噛合部への損傷を起こし、円滑な回転を損なってしまう不具合がある。
そこで、リ−ル本体に、釣人の操作によって、駆動歯車の正転を阻止する回転阻止部を設けたものが、特許文献３で知られている。
特許文献３の技術は、リ−ル本体外側に押圧部材（付勢部材）を設けて、押し込むことにより、駆動軸の回転をロックしたり、制動力を付与できるように構成されているが、押し込んだ状態を維持しないと駆動歯車の回転を阻止できないので、以下の問題が残されている。
（１）指で常に押し込んだ状態を維持しないと、ハンドルをネジ込めないので、ハンドルネジ込み固定作業性が劣る。
（２）又、釣竿に仕掛けをセットした状態で移動する際、移動する際の振動等や、仕掛けをセットしている状態においての振動等でハンドルの自重により、ハンドルが鉛直方向に下がり、ロ−タが正転に回り続けるとハンドルが脱落する等の不具合が起こる可能性がある。
【特許文献１】特開平１１−３１８２８８号公報
【特許文献２】特開２００１−２３１４１４号公報
【特許文献３】特開２００６−１５８２４３号公報
【発明の開示】
【発明が解決しようとする課題】
【０００４】
解決しようとする問題点は、特許文献１、２の構成では、ロ−タを押さえて駆動歯車を間接的に回転止めしてハンドルの回転でハンドルを締め付ける為、駆動歯車とピニオン歯車の噛合部への大きな負荷がかかり、噛合部への損傷を起こし、円滑な回転を損なってしまう不具合がある。
特許文献３の構成では、押圧部材を押し込んだ状態を維持しないと駆動歯車の回転を阻止できないので、ハンドルネジ込み固定作業性が劣り、釣竿に仕掛けをセットした状態で移動する際、振動等でハンドルの自重により、ハンドルが鉛直方向に下がり、ロ−タが正転に回り続けるとハンドルが脱落する等の不具合が起こる可能性があることである。
【０００５】
本発明の目的は前記欠点に鑑み、ハンドルネジ込みの際に確実に駆動歯車の正回転を止めることが出来る魚釣用リ−ルを提供することである。
【課題を解決するための手段】
【０００６】
本発明の請求項１は、駆動歯車を有する駆動軸に、ハンドルを有するハンドル軸を螺合することで取付け可能とすると共に、ハンドルの正転回転操作で駆動する釣糸案内部を介して、スプ−ルに釣糸を巻回可能とした魚釣用リ−ルにおいて、ハンドルと一体回転する回転体とリ−ル本体との間に、正転防止機構を設け、リ−ル本体に設けた切換部材の操作で正転防止状態と正転可能状態に切換保持可能としたことを要旨とするものである。
【発明の効果】
【０００７】
請求項１の本発明により、駆動軸の駆動歯車の回転を阻止する正転防止機構を設けることで、ハンドルによる巻取方向の正回転を防止する状態に保持可能とする構成としたので、正回転を阻止するにあたり、指による押圧状態を維持することなく、簡単な操作でハンドル軸のネジ込み固定操作が確実に支障なく行える。
更に、ロ−タを釣人が押える必要が無くなり、ハンドルネジ込み時の駆動歯車とピニオン歯車の噛合部への負荷による歯面の歪みを解消できる。
また、長期に渡りハンドルの着脱を繰り返しても、噛合歯面の変形による回転不良や歯面の破損といった不具合が生じなくなり、耐久性が向上する。
更に、釣人の手でロ−タを押えてハンドルを締め付けする必要が無くなるので、海水や汗、コマセの付着等で手が滑りやすいときでも、確実にハンドルの着脱が出来る。
又、ベ−ルオ−トリタ−ン搭載のリ−ルにおいて、ベ−ル振り落ち対策のキャストロック機構としても使用できる。
【発明を実施するための最良の形態】
【０００８】
収容部１と蓋体１０に取り付けられた軸受１４、１５で駆動軸２の両端が軸承されている。
駆動軸２の中間外周に駆動歯車２ａが一体的に形成され、駆動軸２の外周一側に駆動機構Ｂの歯車２ｂが形成され、駆動軸２の外周他側に正転防止機構Ｃの正転防止爪車２ｃが形成されている。
駆動軸２の外周他側に形成された正転防止爪車２ｃにはリ−ル本体Ａの蓋体１０に固定された軸部３０に回動可能に取り付けられた正転防止爪７の係合爪部７ａが係合可能に臨まされ、発条３１で係合方向に付勢されている。
正転防止爪７には係合爪部７ａと操作部７ｂが設けられて操作部７ｂは操作摘みからなる切換部材３２で正転防止爪車２ｃに正転防止爪７の係合爪部７ａが係合されるＯＮ状態と、正転防止爪車２ｃから係合爪部７ａが離脱されるＯＦＦ状態に操作される。
正転防止機構Ｃは正転防止爪車２ｃと正転防止爪７と切換部材３２と発条３１からなっている。
【実施例１】
【０００９】
以下、図示の実施例によって本発明を説明すると、図１から図４は第１実施例で魚釣用リ−ルを魚釣用スピニングリ−ルで述べると、図１は魚釣用スピニングリ−ルの断面平面図、図２はリ−ル本体の拡大断面平面図、図３は魚釣用スピニングリ−ルの側面図、図４は蓋体を外したリ−ル本体の収容部の側面図である。
【００１０】
魚釣用スピニングリ−ルのリ−ル本体Ａは駆動機構Ｂの収容部１（リ−ルボディ）と蓋体１０で構成され、収容部１の一側開口が蓋体１０で閉塞されている。
駆動機構Ｂは、駆動軸２（回転体）と駆動歯車２ａと回転軸筒３とスプ−ル軸１１と摺動体１２と連動歯車１３で構成されている。
収容部１と蓋体１０に取り付けられた軸受１４、１５で駆動軸２の両端が軸承されている。
駆動軸２の中間外周に駆動歯車２ａが一体的に形成され、駆動軸２の外周一側に駆動機構Ｂの歯車２ｂが形成され、駆動軸２の外周他側に正転防止機構Ｃの正転防止爪車２ｃが形成されている。
収容部１の前部には軸受１６で回転軸筒３が回転自在に軸受されると共に前側に突出されている。
軸受１６より前側の回転軸筒３の外周に逆転防止爪車１７とロ−タ４の中心軸筒４ａが嵌合されてナット１８で固定されている。
回転軸筒３の基端３ａは軸受部１ａの透孔１ｂで回転自在に軸承され、基端３ａの前側に一体的に形成されたピニオン歯車３ｂに駆動歯車２ａが噛合されてロ−タ４はハンドルＤの回転に連動して回転されるように支持されている。
回転軸筒３の中心孔３ｃには先端にスプ−ル５が取り付けられたスプ−ル軸１１が前後往復動可能に摺動自在に挿入され、スプ−ル軸１１の後端の回り止め部１１ａに摺動体１２がビス１９で取り付けられている。
【００１１】
摺動体１２は連動歯車１３で前後往復動され、連動歯車１３は駆動軸２外周に形成された歯車２ｂに噛合されている。
ロ−タ４は中心軸筒４ａで回転軸筒３に取り付けられ、中心軸筒４ａと前壁４ｂと大径の筒部４ｃと大径の筒部４ｃの基部４ｄ、４ｅの外周から前方に向けて突出された一対の支持腕４ｆ、４ｇとで形成されている。
一対のベ−ル支持腕４ｆ、４ｇの先端部外側に一方のベ−ル支持部材２０と他方のベ−ル支持部材２１がビス２２、２３で釣糸巻取位置と釣糸放出位置に反転自在に軸承されている。
一方のベ−ル支持部材２０にはロ−ラからなる釣糸案内部２４の取付部２５が取り付けられている。
他方のベ−ル支持部材２１と釣糸案内部２４の取付部２５の間にベ−ル２６が取り付けられている。
スプ−ル５に巻回された釣糸２７は釣糸案内部２４で案内されて引き出される。
スプ−ル５の外形は、釣糸２７が巻回される外周の釣糸巻回胴部５ａと、前側の鍔部５ｂと、後側の大径の筒部５ｃとで形成されて内部にドラグ機構が収納されている。
【００１２】
駆動軸２は図２で、右側の端部から左側に向けて雌ネジ穴２ｄとネジ部に接触しない大径の内周からなるバカ穴２ｅと通し孔２ｆと雌ネジ穴２ｇと前記同様のバカ穴２ｈが形成されている。
雌ネジ穴２ｄにはハンドルＤのハンドル軸６の雄ネジ６ａが螺合される。
この時ハンドル軸６の雄ネジ６ｂはバカ穴２ｅの中に挿入されている。
ハンドル軸６の左右交換で雄ネジ６ｂが雌ネジ穴２ｇに螺合される時は、雄ネジ６ａはバカ穴２ｈの中に挿入される。
ハンドル軸６にはハンドルア−ム２８が折り畳み可能に連結されて端部にハンドルツマミ２９が回転自在に軸承されている。
駆動軸２の外周他側に形成された正転防止爪車２ｃにはリ−ル本体Ａの蓋体１０に固定された軸部３０に回動可能に取り付けられた正転防止爪７の係合爪部７ａが係合可能に臨まされ、発条３１で係合方向に付勢されている。
正転防止爪７には係合爪部７ａと操作部７ｂが設けられて操作部７ｂは操作摘みからなる切換部材３２で正転防止爪車２ｃに正転防止爪７の係合爪部７ａが係合されるＯＮ状態と、正転防止爪車２ｃから係合爪部７ａが離脱されるＯＦＦ状態に操作されて、両状態に保持される。
正転防止機構Ｃは正転防止爪車２ｃと正転防止爪７と切換部材３２と発条３１からなっている。
【００１３】
駆動軸２にハンドル軸６が取り付けられる時は正転防止爪車２ｃに正転防止爪７の係合爪部７ａが係合されたＯＮ状態で取り付けられ、正転防止爪車２ｃに係合爪部７ａが係合されることで、駆動歯車２ａとピニオン歯車３ｂとロ−タ４の回転が停止された状態となる。
駆動軸２にハンドル軸６が右ハンドルで取り付けられる時は、右側の雌ネジ穴２ｄにハンドル軸６の雄ネジ６ａが螺合される。
駆動軸２にハンドル軸６が左ハンドルで取り付けられる時は、左側の雌ネジ穴２ｇにハンドル軸６の雄ネジ６ｂが螺合される。
【００１４】
魚釣用スピニングリ−ルの動作は、一方のベ−ル支持部材２０と他方のベ−ル支持部材２１が釣糸巻取位置にあって釣糸２７がスプ−ル５に巻回される方向にハンドルツマミ２９を握ってハンドルア−ム２８が回転されると、ハンドル軸６と一体に駆動歯車２ａが回転されてピニオン歯車３ｂを介して回転軸筒３が回転され、ロ−タ４が回転される。
駆動歯車２ａが回転されると、駆動軸２が回転されて正転防止爪車２ｃが回転され、連動歯車１３が回転される。
連動歯車１３の回転で摺動体１２が直線往復動されてスプ−ル軸１１とスプ−ル５が直線往復動される。
釣糸２７がスプ−ル５に巻回される時は、一方のベ−ル支持部材２０に設けられたロ−ラからなる釣糸案内部２４で釣糸２７が案内されて前後に
往復動されるスプ−ル５に釣糸２７が平行に巻回される。
【００１５】
前記のように魚釣用スピニングリ−ルが構成されると、ハンドルＤが装着されて一体回転する駆動軸２（回転体）に駆動歯車２ａの回転を阻止する正転防止機構Ｃの正転防止爪車２ｃと正転防止爪７を設けることで、ハンドルによる巻取方向の正回転を防止する状態に保持可能とする構成としたので、正回転を阻止するにあたり、指による押圧状態を維持することなく、簡単な操作でハンドル軸のネジ込み固定操作が確実に支障なく行える。
更に、ロ−タ４を釣人が押える必要が無くなり、ハンドルネジ込み時の駆動歯車２ａとピニオン歯車３ｂの噛合部への負荷による歯面の歪みを解消できる。
また、長期に渡りハンドルの着脱を繰り返しても、噛合歯面の変形による回転不良や歯面の破損といった不具合が生じなくなり、耐久性が向上する。
更に、釣人の手でロ−タを押えてハンドルを締め付けする必要が無くなるので、海水や汗、コマセの付着等で手が滑りやすいときでも、確実にハンドルの着脱が出来る。
又、ベ−ルオ−トリタ−ン搭載のリ−ルにおいて、釣糸放出操作時におけるロ−タ４の不要な回転を阻止するベ−ル振り落ち（釣糸放出状態から釣糸巻取状態への誤復帰）対策のキャストロック機構としても使用できる。
【実施例２】
【００１６】
図５から図７は第２実施例で、図５はリ−ル本体の拡大断面平面図、図６は図５の要部拡大断面平面図、図７は図６の右側から見た断面側面図である。
【００１７】
第２実施例では、駆動軸２の左端の雌ネジ穴２ｇとバカ穴２ｈの外側の外周に軸受１５と正転防止機構Ｅが設けられている。
正転防止機構Ｅはころがり式一方向クラッチからなり、図６、図７のように、ころがり式一方向クラッチは外枠８の内周を外輪とし、駆動軸２の外周２ｉを内輪として内輪２ｉの外周に載せられた複数個の棒状ころがり部材３３と環状保持部材９と発条３４とで構成されている。
【００１８】
外枠８はリ−ル本体Ａの蓋体１０の凹部１０ａの中に軸受１５と共に挿入されると共に外枠８は凹部１０ａ内に回り止めされている。
更に外枠８の内周面には棒状ころがり部材３３の自由回転域αと棒状ころがり部材３３が当接されて回転が阻止される阻止面βが構成されている。
外枠８の内周面に発条３４の突起部が係合するクリックストップ用凹部８ａ、８ｂが形成されている。
環状保持部材９の複数個の貫通孔には複数個の棒状ころがり部材３３が挿入されて保持されると共に、発条３４で押圧付勢されている。
環状保持部材９の一側にはレバ−９ａが形成されてレバ−９ａは外枠８の切欠き８ｃに挿入されて外枠８の外側に突出されている。
レバ−９ａの先端には透孔からなる係合部９ｂが形成されている。
【００１９】
リ−ル本体Ａの蓋体１０に回動自在に取り付けられた操作杆３５に切換板３６が取り付けられ、切換板３６に固定されたピンからなる作動部３７が係合部９ｂに挿入されている。
切換板３６に固定されたピン３８とリ−ル本体Ａの蓋体１０に固定されたピン３９の間にデットポイントバネ４０が張設されている。
蓋体１０の外部に突出した操作杆３５に操作ツマミからなる切換部材４１が取り付けられている。
【００２０】
正転防止機構Ｅのころがり式の一方向クラッチの動作は図７で、切換部材４１と操作杆３５と切換板３６が回動操作されて図７の実線の位置に回動されると、環状保持部材９のレバ−９ａが反時計方向に回動されて棒状ころがり部材３３が自由回転域αに位置して駆動軸２が時計方向に回転されてもクサビ作用しない非作動状態となるので、駆動軸２と駆動歯車２ａとロ−タ４と駆動筒軸３の正回転及び逆回転が可能になる。
次に切換部材４１と操作杆３５と切換板３６が回動操作されて図７の２点鎖線の位置に回動されると、環状保持部材９のレバ−９ａが時計方向に回動されて棒状ころがり部材３３が当接されて回転が阻止される阻止面βに位置してクサビ作用する作動状態となるので、駆動軸２と駆動歯車２ａとロ−タ４と駆動筒軸３の正回転では発条３４に抗して棒状ころがり部材３３が時計方向に移動可能であるから逆回転が可能であるが、正回転で棒状ころがり部材３３が阻止面βに当接してクサビ作用で正回転が不可能になる。
他の構成は前記第1実施例と略同一である。
【産業上の利用可能性】
【００２１】
魚釣用スピニングリ−ル以外の他の魚釣用リ−ル等の駆動ハンドル構造に実施してもよい。
【図面の簡単な説明】
【００２２】
【図１】第１実施例で、魚釣用スピニングリ−ルの断面平面図である。
【図２】同リ−ル本体の拡大断面平面図である。
【図３】同魚釣用スピニングリ−ルの側面図である。
【図４】同蓋体を外したリ−ル本体の収容部の側面図である。
【図５】第２実施例で、リ−ル本体の拡大断面平面図である。
【図６】同図５の要部拡大断面平面図である。
【図７】同図６の右側から見た断面側面図である。
【符号の説明】
【００２３】
Ａ  リ−ル本体
２  駆動軸
２ａ  駆動歯車
６  ハンドル軸
２４  釣糸案内部
３２、４１  切換部材
Ｃ、Ｅ  正転防止機構
Ｄ  ハンドル
【図１】
2010029157.tif 000003
【図２】
2010029157.tif 000004
【図３】
2010029157.tif 000005
【図４】
2010029157.tif 000006
【図５】
2010029157.tif 000007
【図６】
2010029157.tif 000008
【図７】
2010029157.tif 000009